(57)【要約】      （修正有）【課題】着脱方式の電源変換装置を備えるポータブル電子装置を提供する。【解決手段】本体は第一ケース及び前記第一ケース内に配設される本体回路を有し、前記本体回路は、前記第一ケースの側面に設けられる電源入力端を有する。電源変換装置は、第二ケース及び第二ケース内に配設される電源変換回路を含む。前記第二ケースは、着脱方式で前記第一ケースの前記側面に取り付け可能に構成され、前記第二ケースの向かい合う両側のそれぞれの側面に設けられる電源出力端及び交流電源入力端を有する。前記電源変換回路は、前記交流電源入力端から入力される交流の電力を前記本体回路が必要とする電力に合うように変換し、前記電源出力端から出力する。そして、前記第二ケースを前記第一ケースに取り付けた状態で、前記電源出力端が前記電源入力端に接続し、前記電源変換回路が変換する電力が前記本体回路に出力される。【選択図】図１
0003155271.tif 000002
【実用新案登録請求の範囲】
【請求項１】
ポータブル電子装置であって、本体及び電源変換装置を含み、
前記本体は、第一ケース及び前記第一ケース内に配設される本体回路を備えるとともに、前記第一ケースの側面に電源入力端が設けられ、
前記電源変換装置は、第二ケース及び前記第二ケース内に配設される電源変換回路を備えるとともに、前記第二ケースの側面が着脱方式で前記第一ケースの前記側面に取り付け可能であって、前記電源変換回路は、前記第二ケースの前記側面に設けられる電源出力端と、前記第二ケースのもう一つの側面に設けられる交流電入力端とを有し、前記交流電入力端から入力される交流の電力を、前記本体回路が必要とする電力に変換して前記電源出力端から出力し、
前記第二ケースの前記側面を前記第一ケースの前記側面に取り付けた状態で、前記第二ケースの電源出力端が、前記第一ケースの電源入力端に接続され、前記電源変換回路が変換した電力が前記本体回路に出力されることを特徴とするポータブル電子装置。
【請求項２】
前記第二ケースの前記側面のサイズは、前記第一ケースの前記側面のサイズよりも大きいか若しくは等しいことを特徴とする請求項１に記載のポータブル電子装置。
【請求項３】
前記第一ケースの前記側面は一対の鉤ホック孔が設けられ、前記第二ケースの前記側面は前記一対の鉤ホック孔に対応する一対の鉤ホックが設けられ、前記一対の鉤ホックを一対の鉤ホック孔内に係合させることで、前記第二ケースを前記第一ケースに取り付ける可能であることを特徴とする請求項１に記載のポータブル電子装置。
【請求項４】
前記第一ケースは一対のスライド溝を有し、前記第二ケースは前記スライド溝に組み合わされる一対のスライドレールを有し、前記一対のスライドレールを前記スライド溝に係合させることで、第二ケースを前記第一ケースに取り付け可能であることを特徴とする請求項１に記載のポータブル電子装置。
【請求項５】
前記ポータブル電源装置は、電池を更に含み、
前記第一ケースには、前記電池が設置されるスペースが形成されるとともに、前記本体回路には、前記スペースの内壁に設置される電池電力入力端が設けられ、
前記電池を前記スペースに取り付けた状態で、前記電池の出力端が前記内壁の電池電力入力端に電気的に接続され、前記電池の電力が前記本体回路へ出力されることを特徴とする請求項１に記載のポータブル電子装置。
【請求項６】
前記電源変換装置は、交流の電力を前記電源変換回路に出力する電源コードを更に含み、
前記電源コードの両端には、着脱方式で前記第二ケースの前記交流電入力端に接続される電源出力ジョイントと、交流電源に外部接続される交流電源プラグとが設けられていることを特徴とする請求項１に記載のポータブル電子装置。
【考案の詳細な説明】
【技術分野】
【０００１】
本考案は、ポータブル電子装置の外部電源変換の技術分野に関し、特に、電源変換装置を備えるポータブル電子装置に関する。
【背景技術】
【０００２】
一般的なポータブル電子装置（例えば、ノート型パソコン）が作動するのに必要な電力は、内部電池からの電力、又は、外部の電源変換装置によって変換された交流電（交流の電力，交流電流）からの電力である。しかしながら、内部電池の電力には限りがあることは議論の余地がない事実であり、従って、電源変換装置の役割は相当重要である。しかしながら、外部の電源変換装置は、通常、ポータブル電子装置の外に独立した装置であり、このため携帯する上で相当不便である。
【０００３】
特許文献１には、ポータブル電子装置内に内蔵することができる従来の外部電源供給器が開示されている。この特許文献１は、ポータブル電子装置のケース内に、別途、収納空間を設置することで、外部電源供給器を組み込むことができ、これにより、携帯の利便性の目的を達成している。しかし、いつでも、ポータブル電子装置のサイズは固定されている。
【０００４】
その他、特許文献２には、従来の電源切替装置が開示されている。この特許文献２は、電源切替器をポータブルパソコンの一ユニットに整合し、ポータブルパソコンのスロット溝内に設置することで、スペースを節約することができる。
【０００５】
もう一方で、特許文献３には、従来の電源切替装置が開示されている。この特許文献３の電源コードはジョイントに接続し、回転着脱方式で切替装置と接続する。従って、電源コードと本体を分解することができ、携帯する上で便利である。
【先行技術文献】
【特許文献】
【０００６】
【特許文献１】台湾実用新案第５５５０７４号明細書
【特許文献２】台湾特許第３８９４２４号明細書
【特許文献３】台湾特許第２００８０３０６９号明細書
【考案の概要】
【考案が解決しようとする課題】
【０００７】
本考案の主な目的は、余分に外部の電源変換装置を携帯する不便さを軽減することができるとともに、外観全体の整合性も同時に兼ね備えつつ、特にポータブル電子装置の電源変換装置が本体に取り外し可能に設けられ、ポータブル電子装置を好適に使用することができる、着脱方式の電源変換装置を備えるポータブル電子装置を提供することにある。
【課題を解決するための手段】
【０００８】
本考案のポータブル電子装置は、本体及び電源変換装置を含む。そして、前記本体は、第一ケース及び前記第一ケース内に配設される本体回路を備えるとともに、前記第一ケースの側面に電源入力端が設けられ、前記電源変換装置は、第二ケース及び前記第二ケース内に配設される電源変換回路を備えるとともに、前記第二ケースの側面が、着脱方式で前記第一ケースの前記側面に取り付け可能に構成される。前記電源変換回路は、前記第二ケースの向かい合う両側面にそれぞれ設置される電源出力端及び交流電入力端を有する。前記電源変換回路は、前記交流電入力端から入力された交流の電力を、前記本体回路が必要とする電力に合うように変換し、前記電源出力端から出力することができる。前記第二ケースを前記第一ケースの前記側面に取り付けるとき、前記第二ケース上の電源出力端は、前記第一ケース上の電源入力端に接続することで、前記電源変換回路が変換した電力を前記本体回路に出力することができる。
【考案の効果】
【０００９】
このように、本考案によれば、電源変換装置が着脱方式で本体上に結合するため、電源変換装置を使用するときは、携帯するのに便利であり、使用する必要がないときは、電源変換装置を本体から取り外すことができるので、スペースを節約して更に軽くすることができる。
【図面の簡単な説明】
【００１０】
【図１】本考案の第1実施例におけるポータブル電子装置の組み合わせ外観図である。
【図２】本考案の第1実施例におけるポータブル電子装置の立体分解図である。
【図３】本考案の第1実施例におけるポータブル電子装置の平面図である。
【図４】本考案の第２実施例におけるポータブル電子装置を説明するための概略図である。
【考案を実施するための形態】
【００１１】
本考案のその他の内容と更に詳細な技術及び効果については、以下に説明する。
【００１２】
（実施例１）
図１から図３は、本考案のポータブル電子装置の第1実施例を示す図である。本実施例のポータブル電子装置１００は、本体１、電源変換装置３、及び内部用電池５（図３を参照）を含む。そして、図２に示すように、電源変換装置３は、本体１に対して相互に着脱可能な方式で本体１の側面１０１に取り付けられる。また、図１に示すように、電源変換装置３の長さは、本体１の側面１０１の長さよりも大きく、若しくは等しく形成されている。
【００１３】
図２及び図３に示すように、本体１は、第一ケース１０及び第一ケース１０内に設置された本体回路１２を含む。第一ケース１０の側面１０１には、電源変換装置３が取り付けられる。また、本体１には、側面１０１から本体１内部に向かって内部用電池５を収納することができるスペース１０２が設けられ、側面１０１には、スペース１０２の開口部が形成されている。一方、本体回路１２は、図３に示すように、電源入力端１２１及び電池電力入力端１２２を有し、それぞれの入力端を通じて電源変換装置３及び内部用電池５から出力をされる電力の供給を受けることができる。このとき、本体回路１２の電源入力端１２１は、第一ケース１０の側面１０１上に配設され、電池電力入力端１２２は、スペース１０２の内壁１０３上に配設されている。内部用電池５をスペース１０２内に取り付けるとき、内部用電池５の出力端５１は、内壁１０３上の電池電力入力端１２２と電気的に接続し、内部用電池５の電力が本体回路１２に出力されてポータブル電子装置を作動させることができる。
【００１４】
図３に示すように、電源変換装置３は第二ケース３０、電源変換回路３１及び電源コード３２を含む。第二ケース３０の側面３０１は、着脱方式で第一ケース１０の側面１０１に接続する。第二ケース３０の側面３０１の縦横サイズは、第一ケース１０の側面１０１の縦横サイズより大きいか等しく形成される。また、第二ケース３０の側面３０１は、一対の鉤ホック３０３が形成され、第一ケース１０の側面１０１には、一対の鉤ホック３０３に対応する一対の鉤ホック孔１０４が形成されている。従って、第二ケース３０を第一ケース１０の側面１０１上に取り付ける場合、一対のトッグルスイッチ３０４を制御することにより、第二ケース３０の一対の鉤ホック３０３を、第一ケース１０の一対の鉤ホック孔１０４内に係合させつつ締め付け（取り付け）ることで、電源変換装置３を本体１上に整合させた状態で取り付けることができ、ポータブル電子装置の外観全体の整合性も同時に兼ね備えることができる。
【００１５】
次に、図３に示すように電源コード３２は、交流電源（例えば、室内に設置された電源コンセント）と電源変換装置３とに接続し、交流電流（交流の電力）を電源変換回路３１に出力することができる。電源変換回路３１は、第二ケース内に設置され、電源出力端３１１及び交流電入力端３１２を有する。電源出力端３１１は、第二ケース３０の側面３０１に配設される。交流電入力端３１２は、第二ケース３０の対向するもう一方の側面３０２に配設され、電源コード３２の電源出力ジョイント３２１と接続することができる。電源変換回路３１は、交流電入力端３１２から入力された交流電流を、本体回路１２が必要とする電力に合うように変換して、電源出力端３１１から本体回路１２に出力することができる。第二ケース３０の側面３０１を第一ケース１０の側面１０１に取り付ける際、第二ケース３０上の電源出力端３１１が、第一ケース１０上の電源入力端１２１に電気的に接続することで、電源変換回路３１が変換した電力を本体回路１２に出力されることができる。
【００１６】
また、図２に示すように電源コード３２の両端は、それぞれ電源出力ジョイント３２１と交流電源プラグ３２２を有する。電源コード３２の電源出力ジョイント３２１は、第二ケース３０上の交流電入力端３１２に着脱自在に接続される。電源コード３２の交流電源プラグ３２２は、室内の電源コンセント（図示せず）に挿すことができる。このように、電源コード３２は、必要に応じて、取り外すことができ、収納するのに便利である。
【００１７】
（実施例２）
図４は、本考案の第２実施例を示す図であり、図４に示すように、ポータブル電子装置２００の各部分から構成される本体は、図１から図３に記載した上記実施例１と同じである。本実施例では、上述した実施例１のホック取り付け方式の代わりに、スライドレール方式で電源変換装置３を本体１上に取り付ける。このため、本実施例では、第一ケース１０には、一対のスライド溝、又は鳩尾溝１０５が設けられ、第二ケース３０には、スライド溝１０５に係合するスライドレール３０５が設けられている。第二ケース３０を第一ケース１０の側面１０１上に取り付ける場合、一対のスライドレール３０５は、一対のスライド溝１０５内に係合し、適切に位置決めされる。なお、、本体１、内部用電池５及び電源変換装置３の電源コード３２等、その他の構造及び効果については、図１から図３に示した上記実施例１と同様で有り、その説明を省略する。
【００１８】
上述した説明から理解できるように、本考案のポータブル電子装置の電源変換装置は、着脱方式で本体上に結合し、これにより本考案は電源変換装置を使用するときは、携帯するのに便利であり、使用する必要がないときは、電源変換装置を本体から取り外すことで、スペースの節約、重量の軽量化を図ることができる。更には、電源変換装置は、本体１の側面１０１の長さよりも大きく、若しくは等しく形成されているので、本体と外観上整合させて組み合わせることができ、外観全体の整合性も同時に兼ね備えるようにすることができる。
【００１９】
以上、本考案の詳細な説明では具体的な実施例について説明したが、本考案の要旨から逸脱しない範囲内で多様に変形できる。よって、本考案の技術的範囲は、上述の実施例に限定されるものではなく、実用新案登録請求の範囲の記載及びこれと均等なものに基づいて定められるべきである。
【符号の説明】
【００２０】
１００、２００  ポータブル電子装置
１      本体
１０    第一ケース
１０１  側面
１０２  スペース
１０３  内壁
１０４  鉤ホック孔
１０５  スライド溝
１２    本体回路
１２１  電源入力端
１２２  電池電力入力端
３      電源変換装置
３０    第二ケース
３０１  側面
３０２  側面
３０３  鉤ホック
３０４  トッグルスイッチ
３０５  スライドレール
３１    電源変換回路
３１１  電源出力端
３１２  交流電入力端
３２    電源コード
３２１  電源出力ジョイント
３２２  交流電源プラグ
５      内部用電池
【図１】
0003155271.tif 000003
【図２】
0003155271.tif 000004
【図３】
0003155271.tif 000005
【図４】
0003155271.tif 000006